(57)【要約】【課題】開閉するパネルを容易且つ短時間に筐体に固定でき、作業の安全性を向上することができる固定機構を提供すること。【解決手段】固定機構１０は、パネル２０と、パネル２０が正面４１に対して開閉自在に配設されている筐体４０とを有している。パネル２０は、一端２０ａと一端４１ａとを連結するヒンジ２１と、先端２２ａを他端４１ｂに嵌合させ、閉じたパネル２０を他端４１ｂに固定するネジ２２と、先端２２ａをパネル２０の裏面２０ｃ側から表面２０ｄ側に押し上げる押し上げ部材２３と、他端２０ｂの裏面２０ｃに配設され、パネル２０が開いた際に先端２２ａを覆い、パネル２０が閉じた際に他端４１ｂに嵌め込まれるテーパ形状を有する金具２４とを有している。筐体４０は、パネル２０が閉じた際に金具２４を保持する保持部４３を有している。保持部４３には、底部４４ａに当接するように金具２４をガイドし、金具２４が嵌め込まれるテーパ形状の溝４４が配設されている。【選択図】      図３
2010283142.tif 000002
【特許請求の範囲】
【請求項１】
パネルと、前記パネルが自身の正面に対して開閉自在に配設される筐体とを有し、前記筐体に対して開閉する前記パネルを前記筐体に固定するパネルの固定機構であって、
前記パネルは、
前記パネルの一端に配設され、前記パネルが前記筐体に対して開閉自在となるように前記パネルの一端と前記正面の一端とを連結するヒンジと、
貫通するように前記パネルの他端に配設され、前記パネルが閉じた際、前記パネルを貫通している自身の先端を前記正面の他端に嵌合させ、閉じた前記パネルを前記正面の他端に固定する固定部材と、
前記固定部材の基端に配設され、前記パネルが開いている際に前記パネルを貫通している前記固定部材の先端を前記パネルの裏面側から表面側に押し上げる押し上げ部材と、
前記パネルの他端の裏面に配設され、前記パネルが開いた際に前記押し上げ部材によって押し上げられ前記裏面から突出している前記先端を覆い、前記パネルが閉じた際に前記正面の他端に嵌め込まれるテーパ形状を有する金具と、
を有し、
前記筐体は、
前記正面の他端に配設され、前記パネルが閉じた際に前記金具を保持する保持部と、
を有し、
前記保持部には、前記パネルが閉じられる際に前記金具の上部が自身の底部に当接するように前記金具をガイドするガイドとなり、前記金具が嵌め込まれるテーパ形状の溝が配設されていることを特徴とする固定機構。
【発明の詳細な説明】
【技術分野】
【０００１】
本発明は、筐体に対して自在に開閉するパネルを筐体に固定するパネルの固定機構に関する。
【背景技術】
【０００２】
一般に筐体の内部には、筐体を駆動させる電子機器が実装されている。またこの筐体には、例えば筐体の正面に対して自在に開閉するパネルが配設されている。パネルが開くと、電子機器はパネルが開いた正面から取り出され、交換または調整される。このように電子機器が交換または調整される際、その都度パネルが開閉し、電子機器が筐体から取り出されまたは筐体に実装される。
【０００３】
一般的にパネルは、開閉自在の状態で、固定機構によって上述したように筐体の正面に固定されている。  
このような固定機構は、パネルが筐体に対して開閉（回動）自在となるように、ヒンジによってパネルの一端と筐体の正面の一端とを連結している。また固定機構は、ネジによってパネルの他端と筐体の正面の他端とを固定することで、パネルが閉じた際に、パネルを正面に固定している。
【０００４】
例えば特許文献１には、蓋の開閉時における着脱抵抗のバラツキと蓋のガタの発生を防止するに好適な簡易な蓋止め装置が開示されている。
【先行技術文献】
【特許文献】
【０００５】
【特許文献１】特開平１０−８６９５８号公報
【発明の概要】
【発明が解決しようとする課題】
【０００６】
上述した一般的な固定機構において、ネジは、他端を貫通している。そのためパネルが開いている際、ネジの先端は、パネルの裏面から筐体の正面の他端に向って突出している。よって、電子機器が交換または調整されるためにパネルが開閉される際、ネジの先端が電子機器に接触する虞が生じ、電子機器の安全性が低下してしまう。さらに交換作業の安全性または調整作業の安全性がネジの先端によって低下する虞が生じる。
【０００７】
またネジと、ネジが嵌合する筐体の正面の他端におけるネジ穴との位置決めが容易ではない。そのためネジによってパネルの他端と筐体の正面の他端とを固定する作業は、手間と時間がかかる虞が生じる。
【０００８】
そのため本発明は、上記事情に鑑み、開閉するパネルを容易且つ短時間に筐体に固定でき、作業の安全性を向上することができる固定機構を提供することを目的とする。
【課題を解決するための手段】
【０００９】
本発明は目的を達成するために、パネルと、前記パネルが自身の正面に対して開閉自在に配設される筐体とを有し、前記筐体に対して開閉する前記パネルを前記筐体に固定するパネルの固定機構であって、前記パネルは、前記パネルの一端に配設され、前記パネルが前記筐体に対して開閉自在となるように前記パネルの一端と前記正面の一端とを連結するヒンジと、貫通するように前記パネルの他端に配設され、前記パネルが閉じた際、前記パネルを貫通している自身の先端を前記正面の他端に嵌合させ、閉じた前記パネルを前記正面の他端に固定する固定部材と、前記固定部材の基端に配設され、前記パネルが開いている際に前記パネルを貫通している前記固定部材の先端を前記パネルの裏面側から表面側に押し上げる押し上げ部材と、前記パネルの他端の裏面に配設され、前記パネルが開いた際に前記押し上げ部材によって押し上げられ前記裏面から突出している前記先端を覆い、前記パネルが閉じた際に前記正面の他端に嵌め込まれるテーパ形状を有する金具と、を有し、前記筐体は、前記正面の他端に配設され、前記パネルが閉じた際に前記金具を保持する保持部と、を有し、前記保持部には、前記パネルが閉じられる際に前記金具の上部が自身の底部に当接するように前記金具をガイドするガイドとなり、前記金具が嵌め込まれるテーパ形状の溝が配設されていることを特徴とする固定機構を提供する。
【００１０】
また本発明は目的を達成するために、前記溝は、前記底部において、前記先端が嵌合する前記正面の他端における嵌合部を有することを特徴とする上記に記載の固定機構を提供する。
【００１１】
また本発明は目的を達成するために、前記保持部は、前記金具を保持することで、前記パネルの自重による前記パネルの垂れ下がりを防止することを特徴とする上記に記載の固定機構を提供する。
【００１２】
また本発明は目的を達成するために、前記パネルは、前記パネルの他端に配設され、前記固定部材が貫通する開口部と、前記開口部に配設され、前記固定部材が前記開口部から抜け落ちることを防止する防止部とを有することを特徴とする上記に記載の固定機構を提供する。
【発明の効果】
【００１３】
本発明によれば、開閉するパネルを容易且つ短時間に筐体に固定でき、作業の安全性を向上することができる固定機構を提供することができる。
【図面の簡単な説明】
【００１４】
【図１】図１（Ａ）は、パネルが正面に配設されている筐体の上面図である。図１（Ｂ）は、図１（Ａ）に示す筐体の正面図である。図１（Ｃ）は、図１（Ａ）に示す筐体の側面図である。
【図２】図２（Ａ）は、図１（Ａ）に示す状態からパネルが開いた際の筐体の上面図である。図２（Ｂ）は、パネルが開いた際の図２（Ａ）に示す筐体の正面図である。
【図３】図３（Ａ）は、パネルが開いている際のネジとネジ穴との周辺の構成を示す図である。図３（Ｂ）は、パネルが閉じられる際のネジとネジ穴との周辺の構成を示す図である。図３（Ｃ）は、パネルが閉じた際のネジとネジ穴との周辺の構成を示す図であり、図１（Ｂ）に示す３Ｃ―３Ｃ線における断面図である。
【発明を実施するための形態】
【００１５】
以下、図面を参照して本発明の実施形態について詳細に説明する。図１乃至図３を参照して実施形態について説明する。
【００１６】
図１と図２とに示すように固定機構１０は、パネル２０と、パネル２０が自身の正面４１に対して開閉自在に配設されている筐体４０とを有している。固定機構１０は、筐体４０に対して開閉するパネル２０を筐体４０（正面４１）に固定する。
【００１７】
図１と図２とに示すようにパネル２０は、パネル２０の一端２０ａに配設され、パネル２０が筐体４０に対して開閉（回動）自在となるように一端２０ａと正面４１の一端４１ａとを連結するヒンジ２１と、貫通するようにパネル２０の他端２０ｂに配設され、パネル２０が閉じた際、パネル２０を貫通している自身の先端２２ａを正面４１の他端４１ｂ（詳細には後述するネジ穴４４ｂ）に嵌合させ、閉じたパネル２０を他端４１ｂに固定する固定部材であるネジ２２と、ネジ２２の基端２２ｂに配設され、パネル２０が開いている際にパネル２０を貫通している先端２２ａをパネル２０の裏面２０ｃ側から表面２０ｄ側に押し上げる図２と図３とに示す押し上げ部材２３と、他端２０ｂの裏面２０ｃに配設され、パネル２０が開いた際に押し上げ部材２３によって押し上げられ裏面２０ｃから突出している先端２２ａを覆い、パネル２０が閉じた際に他端４１ｂ（詳細には後述する溝４４）に嵌め込まれるテーパ形状を有する金具２４とを有している。
【００１８】
図１（Ｂ）と図２（Ｂ）とに示すようにヒンジ２１は、パネル２０の短手方向にて上側と下側とにおいて２箇所配設されている。
【００１９】
図３（Ａ）に示すように他端２０ｂには、ネジ２２が貫通する開口部２０ｅが配設されている。開口部２０ｅは、パネル２０の短手方向にて上側と下側とにおいて２箇所配設されている。開口部２０ｅは、パネル２０が閉じられた際、後述するネジ穴４４ｂに対向する。この開口部２０ｅには、ネジ２２が開口部２０ｅ（他端２０ｂ）から抜け落ちることを防止するためにネジ２２に噛み合うネジ溝２０ｆが配設されている。ネジ溝２０ｆは、ネジ２２が開口部２０ｅ（他端２０ｂ）から抜け落ちることを防止する防止部である。
【００２０】
図３に示すように押し上げ部材２３は、パネル２０が開いている際に先端２２ａを裏面２０ｃ側から表面２０ｄ側に押し上げる弾性力を有しており、例えば基端２２ｂを巻いているスプリングである。
【００２１】
図３（Ａ）に示すようにパネル２０が開いている際、ネジ２２は押し上げ部材２３によって裏面２０ｃ側から表面２０ｄ側に押し上げられ、先端２２ａは金具２４に覆われる。
【００２２】
図３に示すように金具２４は、例えば裏面２０ｃから他端４１ｂ（詳細には、後述する保持部４３）に向って突出している凸部である。金具２４は、パネル２０の短手方向にて上側と下側とにおいて２箇所配設されている。
【００２３】
金具２４の上部２４ａには、パネル２０が閉じられる際に、先端２２ａが他端４１ｂに向って上部２４ａを突出可能な開口部２４ｂが配設されている。開口部２４ｂは、パネル２０の厚み方向において、開口部２０ｅと同一直線上に配設されている。そのためネジ２２は、開口部２０ｅと開口部２４ｂとを挿通する。上部２４ａは、金具２４の最も突出している部分である。
【００２４】
金具２４は、押し上げ部材２３によって押し上げられた先端２２ａを収容し、先端２２ａを保護（開口部２４ｂ（裏面２０ｃ）からの先端２２ａの突出を防止）する。
【００２５】
図２（Ｂ）に示すように筐体４０には、筐体４０を駆動させる電子機器１１が実装されている。この筐体４０は、電子機器１１を載置するシャーシでもある。
【００２６】
図２（Ｂ）と図３とに示すように筐体４０は、他端４１ｂに配設され、パネル２０が閉じた際に金具２４を保持する保持部４３を有している。この保持部４３は、金具２４を受ける金具受けである。
【００２７】
図２（Ｂ）に示すように保持部４３は、他端４１ｂにおいて、正面４１の短手方向にて上面側と下面側とにおいて２箇所配設されている。
【００２８】
図３に示すように保持部４３には、パネル２０が閉じた際に他端２０ｂと対向する面４３ａにおいて、パネル２０が閉じられる際に上部２４ａが自身の底部４４ａに当接するように金具２４をガイドするガイドとなり、金具２４が嵌め込まれるテーパ形状の溝４４が配設されている。溝４４は、凹部である。つまり金具２４は、図３（Ｂ）に示すように溝４４によってガイドされて、図３（Ｃ）に示すように保持部４３に保持される。このとき、上部２４ａは、底部４４ａに当接する。
【００２９】
図３に示すようにこの溝４４は、底部４４ａにおいて、ネジ２２（先端２２ａ）が嵌合する他端４１ｂにおける嵌合部であるネジ穴４４ｂを有している。パネル２０が閉じ、他端２０ｂと他端４１ｂとが当接した際、ネジ２２がネジ穴４４ｂに嵌合することで、パネル２０は正面４１に固定される。
【００３０】
なお金具２４におけるテーパの角度と、溝４４におけるテーパの角度とは、同一角度であり、金具２４と溝４４とは、同じ外形を有している。そのためパネル２０が閉じた際、図３（Ｃ）に示すように金具２４が溝４４に嵌まり込み、ネジ２２がネジ穴４４ｂに嵌合することで、パネル２０は正面４１に固定される。このとき保持部４３が金具２４を保持することで、保持部４３はパネル２０の自重によるパネル２０の垂れ下がりを防止する。金具２４と保持部４３とは、対の関係を有している。
【００３１】
次に本実施形態の動作方法について図３を参照して説明する。  
パネル２０が閉じられる際、図３（Ｂ）に示すように金具２４は、溝４４によってガイドされ、溝４４に嵌まり込み、保持部４３によって保持される。
【００３２】
このとき上部２４ａは、底部４４ａに当接する。これによりネジ２２は、図３（Ｃ）に示すようにネジ穴４４ｂと同一直線上に配置されることとなり、位置決めがなされる。ネジ２２がネジ穴４４ｂと嵌合することで、パネル２０は閉じられ他端４１ｂに固定される。これによりパネル２０を閉じる際にパネル２０を他端４１ｂに固定する作業の手間が簡略し、作業の時間が短縮する。
【００３３】
なおパネル２０が閉じた際、図３（Ｃ）に示すように金具２４が溝４４に嵌まり込み、保持部４３が金具２４を保持するために、パネル２０の自重によるパネル２０の垂れ下がりが保持部４３によって防止される。
【００３４】
またパネル２０が開く際、ネジ２２が緩められる。このとき押し上げ部材２３は、先端２２ａを裏面２０ｃ側から表面２０ｄ側に押し上げる。これにより図３（Ａ）に示すように先端２２ａは、上部２４ａから開口部２４ｂを通じて金具２４の中に退避し、金具２４の中に収容される。よって先端２２ａは、金具２４によって保護（開口部２４ｂ（裏面２０ｃ）から筐体４０側への突出を防止）される。
【００３５】
そして電子機器１１が交換または調整されるためにパネル２０が開閉される際、先端２２ａが電子機器１１に接触することが防止され、電子機器１１の安全性が向上する。さらに交換作業の安全性または調整作業の安全性が向上する。また先端２２ａの損傷も防止される。
【００３６】
このように本実施形態では、パネル２０を閉じる際に、溝４４によって金具２４をガイドすることで、金具２４を溝４４に容易に嵌め込むことができ、ネジ２２とネジ穴４４ｂを同一直線上に配置することができ、容易且つ短時間にパネル２０を閉じて固定することができる。  
また本実施形態では、パネル２０を開いた際に、押し上げ部材２３によって先端２２ａを裏面２０ｃ側から表面２０ｄ側に押し上げ、先端２２ａを金具２４の中に収容することができるため、電子機器１１を交換または調整するためにパネル２０を開閉する際、先端２２ａが電子機器１１に接触することを防止でき、電子機器１１の安全性を向上することができる。
【００３７】
これにより本実施形態では、開閉するパネル２０を容易且つ短時間に筐体４０に固定でき、作業の安全性を向上することができる固定機構１０を提供することができる。
【００３８】
また本実施形態では、溝４４によって金具２４をガイドすることで、ネジ２２とネジ穴４４ｂとを同一直線上に配置することができ、容易に位置決めをでき、閉じたパネル２０を短時間に正面４１に固定することができる。
【００３９】
また本実施形態では、パネル２０を閉じた際、金具２４を溝４４に嵌め込み、保持部４３によって金具２４を保持させているために、保持部４３によってパネル２０の自重によるパネル２０の垂れ下がりを防止することができ、外観の見映えを向上させることができる。また本実施形態では、保持部４３によってパネル２０の自重によるパネル２０の垂れ下がりを防止することができるために、ネジ２２やヒンジ２１等の部材の破損を防止することができる。
【００４０】
また本実施形態では、パネル２０の垂れ下がりのために別部材を用いず、金具２４をガイドする溝４４（保持部４３）に垂れ下がり防止のための機能を兼用させるために、部品点数を削減でき、低コストにすることができる。
【００４１】
また本実施形態では、溝４４によって金具２４をガイドするために、裏面２０ｃに配設されるガイドピンと、このガイドピンが挿入され、正面４１に配設される開口部とを配設する必要がない。よって本実施形態は、部品点数を削減でき、低コストにすることができる。
【００４２】
またガイドピンが配設されていると、パネル２０が開閉する際にガイドピンが電子機器１１に接触し、交換作業の安全性または調整作業の安全性がガイドピンによって低下する虞が生じる。しかしながら本実施形態では、溝４４によって、ガイドでき、さらに作業の安全性を向上することができる。
【００４３】
また本実施形態では、開口部２０ｅにネジ溝２０ｆを配設することで、開口部２０ｅ（他端２０ｂ）からのネジ２２の抜け落ちを防止することができる。より詳細には、本実施形態では、押し上げ部材２３によって先端２２ａが押し上げられても、ネジ溝２０ｆによって開口部２０ｅ（他端２０ｂ）からのネジ２２の抜け落ちを防止することができる。
【００４４】
また本実施形態では、押し上げ部材２３によって先端２２ａを金具２４に収容し、金具２４によって先端２２ａを保護（開口部２４ｂ（裏面２０ｃ）からの先端２２ａの突出を防止）するために、電子機器１１を交換または調整する際に、電子機器１１との接触による先端２２ａの損傷を防止することができる。
【００４５】
また本実施形態では、押し上げ部材２３によって先端２２ａを金具２４に収容することができるために、不必要にネジ２２を表面２０ｄ側に押し上げる必要はなく、パネル２０が開いている際に、ネジ２２が表面２０ｄから不必要に突出してしまうことを防止することができる。
【００４６】
また本実施形態では、上述したようにネジ２２が表面２０ｄから不必要に突出してしまうことを防止できるために、表面２０ｄ側に、表面２０ｄ側から突出するネジ２２を保護する例えばナットなどの保護部材を配設する必要がなく、コンパクトにでき、さらに部品点数を削減できるために低コストにすることができる。
【００４７】
また本実施形態では、金具２４と溝４４とをテーパ形状としているがこれに限定する必要はない。本実施形態では、金具２４をガイドでき、パネル２０の自重によるパネル２０の垂れ下がりを防止でき、ネジ２２とネジ穴４４ｂとを同一直線上に配置することができ、容易に位置決めをできれば、凸部と凹部と、または曲面を有する形状であってもよい。
【００４８】
本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。
【符号の説明】
【００４９】
１０…固定機構、１１…電子機器、２０…パネル、２０ａ…一端、２０ｂ…他端、２０ｃ…裏面、２０ｄ…表面、２０ｅ…開口部、２０ｆ…ネジ溝、２１…ヒンジ、２２…ネジ、２２ａ…先端、２２ｂ…基端、２３…押し上げ部材、２４…金具、２４ａ…上部、２４ｂ…開口部、４０…筐体、４１…正面、４１ａ…一端、４１ｂ…他端、４３…保持部、４３ａ…面、４４…溝、４４ａ…底部、４４ｂ…ネジ穴。
【図１】
2010283142.tif 000003
【図２】
2010283142.tif 000004
【図３】
2010283142.tif 000005